(57)【要約】【課題】複数種類の素材を調合する作業の安全性を高め得る。【解決手段】秤量皿に載置された容器の重量を検出するとともに、秤量皿に載置された容器に付された無線タグのデータをアンテナを介して非接触で読み取る物品管理装置において、各容器にそれぞれ収容される内容物毎に、他の内容物と調合が可能か否かを識別するデータを記憶する。タグ読取部で複数の無線タグのデータが読み取られたとき、各無線タグがそれぞれ付された複数の容器の内容物を調合可能か否かを記憶データにより判定する。【選択図】      図９
2010166965.tif 000002
【特許請求の範囲】
【請求項１】
容器に付された無線タグのデータとその容器の重量とにより容器の内容物を管理する物品管理装置において、
前記容器が載置される秤量皿と、
前記秤量皿に載置された容器の重量を検出する重量検出部と、
前記秤量皿に載置された容器に付された無線タグのデータをアンテナを介して非接触で読み取るタグ読取部と、
各容器にそれぞれ収容される内容物毎に、他の内容物と調合が可能か否かを識別するデータを記憶する調合可否データ記憶手段と、
前記タグ読取部で複数の無線タグのデータが読み取られたとき、各無線タグがそれぞれ付された複数の容器の内容物を調合可能か否かを、前記調合可否データ記憶手段で記憶しているデータにより判定する調合判定手段と、
この調合判定手段による判定結果を報知する報知手段と、
を具備したことを特徴とする物品管理装置。
【請求項２】
前記報知手段は、調合判定手段による判定結果が調合可能であるとき、前記タグ読取部で読み取った無線タグの総数を表示することを特徴とする請求項１記載の物品管理装置。
【請求項３】
前記タグ読取部で読み取られた無線タグのデータの中に、使用者を特定する無線タグのデータが含まれるか否かを判定する使用者有無判定手段、をさらに具備し、
前記使用者を特定する無線タグのデータが含まれることを条件に、前記調合可否判定手段を動作させることを特徴とする請求項１記載の物品管理装置。
【請求項４】
前記タグ読取部のアンテナは、前記秤量皿の側方から当該秤量皿の上方に向けて無線タグとの交信領域を形成するように設けたことを特徴とする請求項１または３記載の物品管理装置。
【請求項５】
調合可否データ記憶手段は、各容器にそれぞれ付される無線タグのメモリで、その容器に収容される内容物が調合可能か否かを識別するデータを記憶することを特徴とする請求項１乃至４のうちいずれか１に記載の物品管理装置。
【発明の詳細な説明】
【技術分野】
【０００１】
本発明は、容器に付された無線タグのデータと当該容器の重量とにより当該容器に収容された薬品等の内容物を管理する物品管理装置に関する。
【背景技術】
【０００２】
この出願に関連する先行技術文献として、特許文献１がある。特許文献１は、薬品瓶に付された無線タグのデータと当該瓶の重量とにより当該瓶に収容された薬品を管理する装置を開示する。この装置は、電子秤量秤と無線タグリーダ・ライタとを備える。電子秤量秤は、秤量皿に載せられた薬品瓶を計量する。無線タグリーダ・ライタは、薬品瓶に付された無線タグのデータをアンテナを通じて非接触で読み取る。アンテナは、電子秤量秤の秤量皿に設けられている。
【先行技術文献】
【特許文献】
【０００３】
【特許文献１】特許第３５９８３４１号公報
【発明の概要】
【発明が解決しようとする課題】
【０００４】
ところで、例えば薬品は、二種類以上を調合することで別の性質を有する薬剤となり得る。その一方で、薬品の調合ミスにより思わぬ事故が発生する懸念もある。従来の物品管理装置では、薬品を調合する際も、それぞれの薬品が収容された薬品瓶を個々に計量して内容物を管理するだけの機能しかない。調合可能か否かの判断は、ユーザに任されている。
【０００５】
本発明はこのような事情に基づいてなされたもので、その目的とするところは、複数種類の素材を調合する作業の安全性を高め得る物品管理装置を提供しようとするものである。
【課題を解決するための手段】
【０００６】
本発明は、容器に付された無線タグのデータとその容器の重量とにより容器の内容物を管理する物品管理装置において、容器が載置される秤量皿と、秤量皿に載置された容器の重量を検出する重量検出部と、秤量皿に載置された容器に付された無線タグのデータをアンテナを介して非接触で読み取るタグ読取部と、各容器にそれぞれ収容される内容物毎に、他の内容物と調合が可能か否かを識別するデータを記憶する調合可否データ記憶手段と、タグ読取部で複数の無線タグのデータが読み取られたとき、各無線タグがそれぞれ付された複数の容器の内容物を調合可能か否かを、調合可否データ記憶手段で記憶しているデータにより判定する調合判定手段と、この調合判定手段による判定結果を報知する報知手段とを備えたものである。
【発明の効果】
【０００７】
かかる手段を講じた本発明によれば、複数種類の素材を調合する作業の安全性を高め得る物品管理装置を提供できる。
【図面の簡単な説明】
【０００８】
【図１】本発明の第１の実施の形態に拘る物品管理装置の外観構成を示す斜視図。
【図２】同物品管理装置の外観構成を示す平面図。
【図３】第１の実施の形態で使用する薬品瓶の一例を示す正面図。
【図４】第１の実施の形態で使用する薬品タグにて記憶するデータ項目を示す図。
【図５】同物品管理装置の要部構成を示すブロック図。
【図６】同物品管理装置のＲＡＭに形成される主要なメモリエリアを示す図。
【図７】同物品管理装置のＣＰＵが実行する処理手順を示す流れ図。
【図８】同物品管理装置のＣＰＵが実行する処理手順を示す流れ図。
【図９】同物品管理装置のＣＰＵが実行する処理手順を示す流れ図。
【図１０】本発明の第２の実施の形態に拘る物品管理装置の外観構成を示す斜視図。
【図１１】第２の実施の形態で使用する使用者カードの外観構成を示す平面図。
【図１２】第２の実施の形態で使用するユーザタグにて記憶するデータ項目を示す図。
【図１３】第２の実施の形態における物品管理装置のＣＰＵが実行する処理手順を示す流れ図。
【発明を実施するための形態】
【０００９】
以下、本発明を実施するための一形態について、図面を用いて説明する。  
なお、この実施の形態は、薬品が収容された瓶容器（以下、薬品瓶と称する）の重量と、この薬品瓶に付された無線タグのデータとにより、当該薬品瓶に収容された薬品を管理する物品管理装置に本発明を適用した場合である。
【００１０】
（第１の実施の形態）
第１の実施の形態に拘る物品管理装置１の外観構成を、図１の斜視図及び図２の平面図を用いて説明する。  
物品管理装置１は、ＬＡＮ（Local Area Network）等の通信回線２を介してパソコン３に接続している。パソコン３は、物品管理装置１の上位機種として機能する。
【００１１】
物品管理装置１は、直方体又は立方体状の箱型をなす装置本体１１を有する。そして、装置本体１１の上面に秤量皿１２を取り付けている。また、装置本体１１の前面に操作パネル１３を取り付けている。操作パネル１３は、キーボード等からなる入力部１４と、液晶ディスプレイ等からなる表示部１５とを有する。
【００１２】
秤量皿１２は、上方から見ると矩形状をなしている。そして、この秤量皿１２の周縁より一定の間隔ｄを開けて、秤量皿１２の外周に沿うようにアンテナ取付部材４を配置している。アンテナ取付部材４は、上方から見るとロ字状をなしている。なお、秤量皿１２の形状は、矩形状に限定されるものではない。例えば円形状であってもよい。
【００１３】
アンテナ取付部材４は、後述する無線タグリーダ・ライタ１０８のアンテナ５を取り付ける。本実施の形態では、図１及び図２に示すように、４枚の平面アンテナ５Ａ，５Ｂ，５Ｃ，５Ｄがアンテナ取付部材４に固定されている。平面アンテナ５Ａは、装置本体１１の前面側に位置するアンテナ取付部材４の内面上部に、そのアンテナ面を秤量皿１２側に向けた状態で固定されている。平面アンテナ５Ｂは、装置本体１１の前面側から見て右側面側に位置するアンテナ取付部材４の内面上部に、そのアンテナ面を秤量皿１２側に向けた状態で固定されている。平面アンテナ５Ｃは、装置本体１１の後面側に位置するアンテナ取付部材４の内面上部に、そのアンテナ面を秤量皿１２側に向けた状態で固定されている。平面アンテナ５Ｄは、装置本体１１の前面側から見て左側面側に位置するアンテナ取付部材４の内面上部に、そのアンテナ面を秤量皿１２側に向けた状態で固定されている。
【００１４】
各平面アンテナ５Ａ〜５Ｄの下端面は、秤量皿１２の上面と略面一である。したがって、平面アンテナ５Ａは、秤量皿１２の前方から当該秤量皿１２の上方に向けて無線タグとの交信領域を形成する。平面アンテナ５Ｂは、秤量皿１２の右側方から当該秤量皿１２の上方に向けて無線タグとの交信領域を形成する。平面アンテナ５Ｃは、秤量皿１２の後方から当該秤量皿１２の上方に向けて無線タグとの交信領域を形成する。平面アンテナ５Ｄは、秤量皿１２の左側方から当該秤量皿１２の上方に向けて無線タグとの交信領域を形成する。このように、本実施の形態では、アンテナ取付部材４に４枚の平面アンテナ５Ａ〜５Ｄをそれぞれのアンテナ面の向きを異ならせて固定している。
【００１５】
図３は、薬品瓶６の一例である。薬品瓶６は、収容する薬品毎に用意する。薬品瓶６は、その側面にネームラベル７を貼付する。ネームラベル７は、薬品の名称（例えば「薬品Ａ」、「薬品Ｂ」）と、薬品の識別コード（例えば「1234567890」、「1357924680」）とを表示する。また、ネームラベル７は、薬品タグ８を固定する。ネームラベル７の表面に薬品タグ８を貼り付けて固定してもよいし、薬品瓶６とネームラベル７との間に薬品タグ８を挟み込んで固定してもよい。
【００１６】
薬品タグ８は、自ら電源を持たないパッシブ型の無線タグである。無線タグは、アンテナとＩＣチップとを備える。無線タグは、平面アンテナ５Ａ〜５Ｄから放射される搬送波をアンテナで受信すると、この搬送波の電力を利用してＩＣチップのメモリに記憶したタグデータをアンテナから無線送信する。また、同じく搬送波の電力を利用してアンテナで受信したデータをＩＣチップのメモリに書き込む。なお、タグのアンテナは、磁界を使用する場合（周波数は１３．５６ＭＨｚ帯）はコイルアンテナが主流であり、電界を使用する場合（周波数は９００ＭＨｚ帯あるいは２．４ＧＨｚ帯）はダイポールアンテナが主流である。また、ループアンテナを用いてもよい。
【００１７】
薬品タグ８は、図４に示す項目のデータをメモリに記憶する。データは、薬品タグ８を識別するためのタグ識別データ８１と、複数の調合可否データ８２とからなる。タグ識別データ８１は、タグＩＤ、タグ種別コード、薬品名、識別コード及び空瓶重量Ｗ０等からなる。タグＩＤは、薬品タグ８毎に異なるように設定された固有のコードである。タグ種別コードは、無線タグが薬品タグ８であることを特定するためのコードである。薬品名及び識別コードは、当該薬品タグ８が付される薬品瓶６に収容される薬品の名称及び識別コードである。空瓶重量Ｗ０は、当該薬品タグ８が付される薬品瓶６に薬品が収容されていないときの当該薬品瓶６の重量である。
【００１８】
調合可否データ８２は、当該薬品と調合が可能な他の薬品の識別コードを含む。ここに、薬品タグ８は、各容器（薬品瓶６）にそれぞれ収容される内容物（薬品）毎に、他の内容物と調合が可能か否かを識別するデータを記憶する調合可否データ記憶手段として機能する。
【００１９】
物品管理装置１は、図５のブロック図で示される内部構成を有する。物品管理装置１は、装置本体１１に、ＣＰＵ（Central Processing Unit）１０１、ＲＯＭ（Read Only Memory）１０２、ＲＡＭ（Random Access Memory）１０３、時計部１０４、通信インターフェイス１０５、操作パネルコントローラ１０６、重量検出部１０７及び無線タグリーダ・ライタ１０８を内蔵している。バスライン１０９は、ＣＰＵ１０１と、ＲＯＭ１０２、ＲＡＭ１０３、時計部１０４、通信インターフェイス１０５、操作パネルコントローラ１０６、重量検出部１０７及び無線タグリーダ・ライタ１０８の各部とを接続する。
【００２０】
無線タグリーダ・ライタ１０８は、送信部、受信部、サーキュレータ、アンテナ切換部及びこれらを制御する制御部等を備える。送信部は、変調器と増幅器を有する。変調器は、無線タグに対する送信データで搬送波信号を変調する。増幅器は、搬送波信号を増幅する。増幅された搬送波信号は、サーキュレータに供給される。サーキュレータは、送信部から入力された信号を各アンテナ５Ａ〜５Ｄに供給する機能と、各アンテナ５Ａ〜５Ｄで受信した信号を受信部に供給する機能とを有する。受信部は、増幅器と復調器を有する。増幅器は、各アンテナ５Ａ〜５Ｄからの受信信号を増幅する。復調器は、増幅された受信信号から受信データを復調する。復調された受信データは、制御部に供給される。制御部は、ＣＰＵ１０１からの指令に応じて送信データを送信部に供給する機能と、受信部にて復調された受信データからタグデータを取得する機能とを有する。また、制御部は、アンテナ切換部の切換動作を制御する。アンテナ切換部は、サーキュレータと各アンテナ５Ａ〜５Ｄとの接続を順次切り換える。
【００２１】
ここに、無線タグリーダ・ライタ１０８は、秤量皿１２に載置された容器（薬品瓶６）に付された無線タグ（薬品タグ８）のデータを、アンテナ５Ａ〜５Ｄを介して非接触で読み取るタグ読取部として機能する。
【００２２】
重量検出部１０７は、秤量皿１２に載せられた物品の重量を検出する。操作パネルコントローラ１０６は、操作パネル１３に設けられた入力部１４と表示部１５とを制御する。通信インターフェイス１０５は、通信回線２を介して接続されるパソコン３とのデータ通信を制御する。時計部１０４は、現在の日付及び時刻を計時する。
【００２３】
ＲＡＭ１０３は、入力データ、演算データ等の可変的なデータを記憶するために、特に、図６に示すエリア、すなわち物品管理ファイル９１、重量データバッファ９２、タグデータカウンタ９３及びタグデータバッファ９４を有する。物品管理ファイル９１は、計測日時、薬品数、薬品数分の薬品名及び総重量の各項目データからなる物品管理レコードを保存する。重量データバッファ９２は、重量検出部１０７で検出される重量データＷを記憶する。タグデータカウンタ９３は、無線タグリーダ・ライタ１０８によって検出された無線タグの数ｒを計数する。タグデータバッファ９４は、無線タグリーダ・ライタ１０８によって検出された無線タグのデータを順番に記憶する。
【００２４】
ＣＰＵ１０１は、ＲＯＭ１０２に記憶されたプログラムに従い、図７〜図９の流れ図に示す手順で各部の制御処理を実行する。
【００２５】
例えば、入力部１４に設けられたリセットボタンの押下によりリセット信号が入力されると、ＣＰＵ１０１は、この制御処理を開始する。先ず、ＳＴ（ステップ）１として、ＣＰＵ１０１は初期化処理を行う。この初期化処理により、重量検出部１０７は重量確定モードとなる。無線タグリーダ・ライタ１０８は停止状態となる。
【００２６】
次に、ＳＴ２として、ＣＰＵ１０１は重量検出部１０７が変動モードに切り換わるのを待機する。重量検出部１０７は、秤量皿１２に物品が載せられると、重量確定モードから変動モードに切り換わり、計量を開始する。重量検出部１０７が変動モードに切り換わると（ＳＴ２のＹＥＳ）、ＳＴ３として、ＣＰＵ１０１はタグデータカウンタ９３を“０”にリセットする。しかる後、ＳＴ４として、ＣＰＵ１０１は無線タグリーダ・ライタ１０８に起動を指令する。
【００２７】
起動が指令された無線タグリーダ・ライタ１０８は、無線タグのデータ読取コマンドを生成する。そして、このデータ読取コマンドで変調される搬送波信号を各アンテナ５Ａ〜５Ｄに順次供給する。搬送波信号が供給されたアンテナ５Ａ〜５Ｄからは、その搬送波信号に相当する電波が放射される。電波は、例えばＵＨＦ帯の周波数帯を利用して空中に放射される。各アンテナ５Ａ〜５Ｄから放射された電波は、少なくとも秤量皿１２の上方領域まで到達する。したがって、秤量皿１２に薬品瓶６が載置されていた場合には、この薬品瓶６の側面にネームラベル７を利用して取り付けられた薬品タグ８が、少なくとも１つのアンテナ５Ａ〜５Ｄからの電波を確実に受信する。
【００２８】
薬品タグ８は、アンテナ５Ａ〜５Ｄからの電波を受信すると、その電波を復調してコマンドを理解する。コマンドがデータ読取コマンドであるとき、メモリ内のタグデータ（タグ識別データ８１、調合可否データ８２）を読出し、バックスキャッタ方式により無線タグリーダ・ライタ１０８に無線送信する。無線タグから無線送信されるタグデータの信号は、アンテナ５Ａ〜５Ｄで受信され、無線タグリーダ・ライタ１０８に取り込まれる。無線タグリーダ・ライタ１０８は、受信信号からタグデータを読み取り、ＣＰＵ１０１に通知する。
【００２９】
ＣＰＵ１０１は、ＳＴ５として、薬品タグ８のタグデータが読み取られるのを待機する。無線タグリーダ・ライタ１０８によりタグデータが読み取られたならば（ＳＴ５のＹＥＳ）、ＳＴ６として、ＣＰＵ１０１はタグデータバッファ９４を検索して、今回読み取られたタグデータと同一のタグデータが既に記憶されているか否かを判断する。この判断は、例えばタグ識別データ８１中のタグＩＤが一致するか否かを検索する。
【００３０】
記憶されていない場合、すなわち重複無しの場合には（ＳＴ６のＮＯ）、ＳＴ７として、ＣＰＵ１０１はタグデータカウンタ９３を“１”だけカウントアップする。そして、ＳＴ８として、ＣＰＵ１０１はタグデータカウンタ９３の値ｒをアドレスとするタグデータバッファ９４のデータエリアに、今回読み取られたタグデータを格納する。記憶されている場合、すなわち重複有りの場合には（ＳＴ６のＹＥＳ）、ＳＴ９として、ＣＰＵ１０１は今回読み取られたタグデータを破棄する。
【００３１】
ＳＴ８またはＳＴ９の処理を終えたならば、ＳＴ１０として、ＣＰＵ１０１は重量検出部１０７が重量確定モードとなったか否かを判断する。重量確定モードになっていない場合には、ＣＰＵ１０１は、次の無線タグデータが読み取られるのを待機する。こうして、重量検出部１０７が重量確定モードとなるまでの間、ＣＰＵ１０１は、薬品タグ８のタグデータが読み取られるのを待機し、読み取られる毎に、上記ＳＴ６，７，８またはＳＴ６，９の処理を実行する。
【００３２】
重量検出部１０７にて計量が終了し、確定重量Ｗが得られると、重量検出部１０７は重量確定モードとなる。重量検出部１０７が重量確定モードとなると（ＳＴ１０のＹＥＳ）、ＳＴ１１として、ＣＰＵ１０１は重量データバッファ９２に今回計測された確定重量Ｗを格納する。
【００３３】
ＳＴ１２として、ＣＰＵ１０１は確定重量Ｗが“０”であるか否かを判断する。例えば、物品管理装置１の使用者であるユーザが、秤量皿１２に薬品瓶６を載せたが、重量が確定する前にその薬品瓶６を秤量皿１２から取り除いた場合には、確定重量Ｗは“０”となる。確定重量Ｗが“０”であった場合（ＳＴ１２のＹＥＳ）、ＳＴ１３として、ＣＰＵ１０１は無線タグリーダ・ライタ１０８に停止を指令して、今回の制御を終了する。停止が指令された無線タグリーダ・ライタ１０８は、各アンテナ５Ａ〜５Ｄからの電波の発信を停止する。
【００３４】
確定重量Ｗが“０”でない、すなわち“０”より大きい場合には（ＳＴ１２のＮＯ）、ＳＴ２１として、ＣＰＵ１０１は無線タグリーダ・ライタ１０８に停止を指令する。しかる後、ＳＴ２２として、ＣＰＵ１０１はタグデータカウンタ９３の値ｒが“０”であるか否かを判断する。
【００３５】
重量検出部１０７が変動モードとなってから重量確定モードとなるまでの間に、無線タグリーダ・ライタ１０８によって薬品タグ８のデータが１つも読み取られなかった場合には、タグデータカウンタ９３の値ｒは“０”のままである。カウント値ｒが“０”であるとき（ＳＴ２２のＹＥＳ）、ＳＴ２３として、ＣＰＵ１０１は薬品タグ８の読取不可を示すメッセージを表示部１５に表示させる。以上で、今回の制御を終了する。
【００３６】
カウント値ｒが“０”でないとき（ＳＴ２２のＮＯ）、ＳＴ２４として、ＣＰＵ１０１はタグデータカウンタ９３の値ｒが“１”であるか否かを判断する。
【００３７】
重量検出部１０７が変動モードとなってから重量確定モードとなるまでの間に、無線タグリーダ・ライタ１０８によって読み取られた薬品タグ８が唯一つであった場合、タグデータカウンタ９３の値ｒは“１”である。カウント値ｒが“１”であるとき（ＳＴ２４のＹＥＳ）、ＳＴ２５として、ＣＰＵ１０１はタグデータバッファ９４のアドレスｒ（＝１）に記憶されている薬品タグ８のタグデータのうちタグ識別データ８１から空瓶重量Ｗ０を取得する。そしてＳＴ２６として、ＣＰＵ１０１は重量データバッファ９２に格納されている確定重量Ｗが空瓶重量Ｗ０以下であるか否かを判断する。
【００３８】
確定重量Ｗが空瓶重量Ｗ０以下でない場合（ＳＴ２６のＮＯ）、ＳＴ２７として、ＣＰＵ１０１は同タグ識別データ８１から薬品名を取得し、この薬品名と確定重量Ｗとを表示部１５に表示させる。これに対し、確定重量Ｗが空瓶重量Ｗ０以下である場合には（ＳＴ２６のＹＥＳ）、ＳＴ２８として、ＣＰＵ１０１は上記薬品名及び確定重量とともに、薬品瓶６が空瓶であることをユーザに告知するための情報を表示部１５に表示させる。
【００３９】
ＳＴ２７またはＳＴ２８の処理にて薬品名及び確定重量Ｗ等を表示部１５に表示させたならば、ＳＴ２９として、ＣＰＵ１０１は時計部１０４で計時されている現在日時を取り込む。そして、この日時と、確定重量Ｗと、タグデータカウンタ９３の値ｒ、すなわち薬品数と、タグ識別データ８１の薬品名とからなる物品管理レコードを、物品管理ファイル９１に保存する。以上で、今回の制御を終了する。
【００４０】
カウント値ｒが“１”より大きいとき（ＳＴ２４のＮＯ）、ＳＴ３１として、ＣＰＵ１０１はタグデータバッファ９４に記憶している各薬品タグ８のタグデータから調合可否データ８２をそれぞれ取得する。そして、各薬品タグ８が付されている各薬品瓶６にそれぞれ収容されている複数の薬品を調合可能か否かを判定する（調合判定手段）。
【００４１】
先ず、カウント値ｒが“２”の場合を例示する。この場合は、第１の薬品タグ８-1と第２の薬品タグ８-2のタグデータがタグデータバッファ９４に記憶されている。そこで、ＣＰＵ１０１は、第１の薬品タグ８-1のタグデータに含まれる調合可否データ８２-1から薬品識別コードを取得する。そして、この薬品識別コードで、第２の薬品タグ８-2のタグデータに含まれる調合可否データ８２-2を検索する。その結果、調合可否データ８２-2から同一の薬品識別コードを抽出したならば、ＣＰＵ１０１は、第１の薬品タグ８-1が付された薬品瓶６-1に収容されている薬品Ａは、第２の薬品タグ８-2が付された薬品瓶６-2に収容されている薬品Ｂと調合可能であると判定する。これに対し、同一の薬品識別コードを抽出できなかった場合には、ＣＰＵ１０１は、薬品Ａと薬品Ｂとは調合不可能であると判定する。
【００４２】
次に、カウント値ｒが“３”の場合を例示する。この場合は、第１〜第３の薬品タグ８-1〜８-3のタグデータがタグデータバッファ９４に記憶されている。そこで、ＣＰＵ１０１は、第１の薬品タグ８-1のタグデータに含まれる調合可否データ８２-1から薬品識別コードを取得する。そして、この薬品識別コードで、第２の薬品タグ８-2のタグデータに含まれる調合可否データ８２-2を検索する。その結果、調合可否データ８２-2から同一の薬品識別コードを抽出したならば、第３の薬品タグ８-3のタグデータに含まれる調合可否データ８２-3を検索する。その結果、調合可否データ８２-3からも同一の薬品識別コードを抽出したならば、ＣＰＵ１０１は、第１の薬品タグ８-1が付された薬品瓶６-1に収容されている薬品Ａは、第２の薬品タグ８-2が付された薬品瓶６-2に収容されている薬品Ｂ及び第３の薬品タグ８-3が付された薬品瓶６-3に収容されている薬品Ｃと調合可能であると判定する。これに対し、第２の薬品タグ８-2のタグデータに含まれる調合可否データ８２-2及び第３の薬品タグ８-3のタグデータに含まれる調合可否データ８２-3の少なくとも一方から同一の薬品識別コードを抽出できなかった場合には、ＣＰＵ１０１は、薬品Ａ、Ｂ、Ｃは調合不可能であると判定する。
【００４３】
カウント値ｒが“４”以上の場合も、ＣＰＵ１０１は、上記と同様にして、調合可能か否かを判定する。
【００４４】
調合不可能と判定した場合（ＳＴ３２のＮＯ）、ＣＰＵ１０１は、ＳＴ３３として調合不可を報知するメッセージを表示部１５に表示させる（報知手段）。以上で、今回の制御を終了する。
【００４５】
調合可能と判定した場合（ＳＴ３２のＹＥＳ）、ＣＰＵ１０１は、ＳＴ３４としてタグデータカウンタ９３の値ｒを調合薬品数として表示部１５に表示させる（報知手段）。また、ＳＴ３５としてタグデータバッファ９４のアドレス“１”から“ｒ”までに格納されている全てのタグデータのタグ識別データ８１から薬品名を呼出す。そして、各薬品名と、重量データバッファ９２に記憶している確定重量、すなわち各薬品瓶の総重量とを表示部１５に表示させる。
【００４６】
調合薬品数と、各薬品名及び総重量とを表示させた状態で、ＳＴ３６として、ＣＰＵ１０１は入力部１４からの入力を待機する。ユーザは、秤量皿１２に載せた複数の薬品を調合する場合には「調合する」旨の入力を行う。調合しない場合には「調合しない」旨の入力を行う。「調合しない」旨の入力を受付けた場合には（ＳＴ３５のＮＯ）、今回の制御を終了する。
【００４７】
「調合する」旨の入力を受付けた場合には（ＳＴ３５のＹＥＳ）、ＳＴ３６として、ＣＰＵ１０１は時計部１０４で計時されている現在日時を取り込む。そして、この日時と、確定重量Ｗ、調合薬品数ｒ及び各薬品名とからなる物品管理レコードを、物品管理ファイル９１に保存する。以上で、今回の制御を終了する。
【００４８】
このように、物品管理装置１は、秤量皿１２に複数の薬品瓶６が載せられると、これらの薬品瓶６にそれぞれ収容されている薬品を調合可能か否かを自動的に判定し、その判定結果を報知する。したがって、薬品の調合ミスにより思わぬ事故が発生する懸念が払拭される。
【００４９】
また、物品管理装置１は、複数の薬品瓶６にそれぞれ収容されている薬品を調合可能なとき、その薬品数を表示部１５に表示する。したがって、ユーザは、表示された薬品数と秤量皿１２に載せられた薬品瓶６の数とが一致する場合に、調合可能と認識できる。
【００５０】
薬品タグ８は電子部品であるため、壊れる可能性がある。また、無線タグリーダ・ライタ１０８が薬品タグ８の読取りに失敗する場合もある。これらの場合、無線タグリーダ・ライタ１０８が読み取る薬品タグ８の数は、秤量皿１２に載せられた薬品瓶６の数よりも少なくなる。しかし、物品管理装置１は、読み取れなかった薬品タグ８があるか否かについて自己判断することができない。このため、読み取ることができた複数の薬品タグ８のデータにより調合可能と判定した場合には、そのときの薬品数を表示する。そこでユーザは、薬品瓶６の数に対して表示された薬品数が少ない場合には、薬品タグ８の読み落としがあるため調合を行わないようにする。そうすることにより、やはり薬品の調合ミスによって思わぬ事故が発生するのを未然に防ぐことができる。
【００５１】
ところで、先行技術文献として提示した特許文献１は、アンテナを電子秤量秤の秤量皿に設けているため、薬品瓶の底面に無線タグを付す必要がある。このため、容器を秤量皿に載せた際に安定せず、計量中に容器が倒れてしまうことがある。また、容器を棚・机等に置いた際に無線タグが載置面と接触するため、無線タグが劣化しやすい。
【００５２】
これに対し、物品管理装置１は、薬品瓶６が載置される秤量皿１２の前後及び左右の各側方からそれぞれ当該秤量皿１２の上方に向けて無線タグとの交信領域を形成するように、４枚の平面アンテナ５Ａ〜５Ｄを配置している。したがって、薬品瓶６の側面に薬品タグ８を付すことによって、無線タグリーダ・ライタ１０８は、その薬品タグ８のデータを確実に読み取ることができる。換言すれば、薬品瓶６の側面に薬品タグ８を付すことができるので、上述したような種々の不具合を解消することができる。
【００５３】
（第２の実施の形態）
第２の実施の形態に拘る物品管理装置２００の外観構成を、図１０の斜視図を用いて説明する。なお、第１の実施の形態と共通する部分には同一符号を付し、詳しい説明を省略する。
【００５４】
物品管理装置２００は、アンテナ取付部材４のコーナの１箇所に、使用者用カード保持部２０１を形成している。使用者用カード保持部２０１は、例えば図１１に示すような使用者カード２０２を載置可能な部位である。
【００５５】
使用者カード２０２は、物品管理装置２００の使用が承認された各ユーザに対して配布される身分証明カード（ＩＤカード）である。物品管理装置２００を使用するユーザは、使用するのに先立ち自身の使用者カード２０２を、使用者用カード保持部２０１に保持させる。使用者カード２０２は、ユーザタグ２０３を内蔵している。  
ユーザタグ２０３は、薬品タグ８と同様に、自ら電源を持たないパッシブ型の無線タグである。
【００５６】
ユーザタグ２０３は、図１４に示す項目のデータをメモリに記憶する。データは、タグＩＤ、タグ種別コード、所属部署、ユーザ番号、氏名等からなる。タグＩＤは、ユーザタグ毎に異なるように設定された固有のコードである。タグ種別コードは、無線タグがユーザタグ２０３であることを特定するためのコードである。ユーザタグ２０３のタグ種別コードと薬品タグ８のタグ種別コードとが異なることはいうまでもない。所属部署、ユーザ番号及び氏名は、当該ユーザタグ２０３が内蔵された使用者カード２０２を所持するユーザに関する情報である。
【００５７】
物品管理装置２００の内部構成は、図５のブロック図にて示す第１の実施の形態と同一である。また、ＲＡＭ１０３に形成されるメモリエリアも、図６の概念図に示す第１の実施の形態と同一である。
【００５８】
例えば、入力部１４に設けられたリセットボタンの押下によりリセット信号が入力されると、第１の実施の形態と同様に、ＣＰＵ１０１は、図７のＳＴ１〜ＳＴ１３の処理を順に実行する。ＳＴ１２にて、確定重量Ｗｈが“０”でない、すなわち“０”より大きい場合には（ＳＴ１２のＮＯ）、ＣＰＵ１０１は、図１３の流れ図に示す処理に移行する。すなわち、ＳＴ４１として、ＣＰＵ１０１は無線タグリーダ・ライタ１０８に停止を指令する。しかる後、ＳＴ４２として、ＣＰＵ１０１はタグデータカウンタ９３の値ｒが“２”より小さいか否かを判断する。
【００５９】
重量検出部１０７が変動モードとなってから重量確定モードとなるまでの間に、無線タグリーダ・ライタ１０８によって無線タグのデータが１つしか読み取られなかった場合には、タグデータカウンタ９３の値ｒは“１”である。
【００６０】
本実施の形態では、物品管理装置２００を使用するユーザは、使用するのに先立ち自身の使用者カード２０２を、使用者用カード保持部２０１に保持させる。したがって、正常な使用形態では、無線タグリーダ・ライタ１０８は、少なくとも使用者カード２０２のユーザ２０３と薬品瓶６の薬品タグ８の２種類の無線タグのデータを読み取る。したがって、カウント値ｒが“２”より少ないときには（ＳＴ４２のＹＥＳ）、ＳＴ４３として、ＣＰＵ１０１は無線タグの読取不可を示すメッセージを表示部１５に表示させる。以上で、今回の制御を終了する。
【００６１】
カウント値ｒが“２”以上のとき（ＳＴ４２のＮＯ）、ＳＴ４４としてタグデータバッファ９４に記憶しているタグデータの中に、ユーザタグ２０３のタグデータが存在するか否かを判断する（使用者有無判定手段）。この判断は、タグデータ中のタグ識別コードにより行う。ユーザタグ２０３のタグデータが含まれない場合には（ＳＴ４４のＮＯ）、ＳＴ４３の処理と同様に、ＣＰＵ１０１は無線タグの読取不可を示すメッセージを表示部１５に表示させる。以上で、今回の制御を終了する。
【００６２】
ユーザタグ２０３のタグデータが含まれる場合（ＳＴ４４のＹＥＳ）、ＳＴ４５として、ＣＰＵ１０１はタグデータバッファ９４に記憶しているタグデータの中に薬品タグ８のデータがいくつあるのか計数する。そして、薬品タグ８のデータが１つしかない場合には（ＳＴ４５のＹＥＳ）、ＳＴ４６〜ＳＴ５０として、ＣＰＵ１０１は、第１の実施の形態のＳＴ２５〜ＳＴ２９とほぼ同様な処理を実行する。異なる点は、ＳＴ２９の処理に対応するＳＴ５０の処理において、日時、確定重量Ｗ、薬品数及び薬品名に加え、ユーザタグ２０３のタグデータに含まれる氏名をユーザ名として表示する点である。
【００６３】
薬品タグ８のデータが２以上記憶されている場合には（ＳＴ４５のＹＥＳ）、ＣＰＵ１０１は、図９に示す第１の実施の形態のＳＴ３１〜ＳＴ３７ほぼ同様な処理を実行する。異なる点は、ＳＴ３７の処理において、日時、調合薬品数、薬品名及び総重量に加え、ユーザタグ２０３のタグデータに含まれる氏名をユーザ名として表示する点である。
【００６４】
このように、物品管理装置２００は、無線タグリーダ・ライタ１０８でユーザタグ２０３のデータを読み取れない限り、ＳＴ４５以降の処理に進むことはできない。したがって、物品管理装置１の作用効果に加えて、ユーザを特定できる利点がある。
【００６５】
なお、この発明は前記実施形態そのままに限定されるものではなく、実施段階ではその要旨を逸脱しない範囲で構成要素を変形して具体化できる。
【００６６】
例えば、前記実施の形態では、薬品タグ８のメモリで、それぞれその薬品タグ８が付される薬品瓶６に収容される薬品に対する調合可否データを記憶したが、物品管理装置１または２００のＲＯＭ１０２で、各薬品の薬品識別コード別に、その薬品に対する調合可否データを記憶するようにしてもよい。この場合、ＣＰＵ１０１は、ＳＴ３２の処理において、各薬品タグ８のタグ識別データ８１中の薬品識別コードで、ＲＯＭ１０２のデータを検索し、調合可能か否かを判定する。
【００６７】
また、調合可否データは、当該薬品と調合が不可能な他の薬品の識別コードを含むものであってもよい。あるいは、単に、他の薬品と調合が可能か否かを識別するためのフラグであってもよい。
【００６８】
また、物品管理装置１，２００の構造は、前記実施形態のものに限定されるものではない。例えば、無線タグリーダ・ライタ１０８を装置本体１１の外部に設けてもよい。また、秤量皿１２の外周に沿うように、アンテナ取付部材４の上面に漏洩同軸ケーブルを敷設して、無線タグリーダ・ライタ１０８のアンテナとしてもよい。
【００６９】
この他、管理対象の物品は薬品に限定されるものではない。調合が行われる素材、例えば香料、染料などであってもよい。また、容器も瓶型に限定されるものではない。さらに、前記実施形態に開示されている複数の構成要素の適宜な組合せにより種々の発明を形成できる。また、実施形態に示される全構成要素から幾つかの構成要素を削除してもよいし、異なる実施形態に亘る構成要素を組合わせてもよい。
【符号の説明】
【００７０】
１，２００…物品管理装置、３…パソコン、４…アンテナ取付部材、５Ａ〜５Ｄ…平面アンテナ、６…薬品瓶、８…薬品タグ、１１…装置本体、１２…秤量皿、１３…操作パネル、１４…入力部、１５…表示部、１０１…ＣＰＵ、１０７…重量検出部、１０８…無線タグリーダ・ライタ、２０１…使用者カード保持部、２０２…使用者カード、２０３…ユーザタグ。
【図１】
2010166965.tif 000003
【図２】
2010166965.tif 000004
【図３】
2010166965.tif 000005
【図４】
2010166965.tif 000006
【図５】
2010166965.tif 000007
【図６】
2010166965.tif 000008
【図７】
2010166965.tif 000009
【図８】
2010166965.tif 000010
【図９】
2010166965.tif 000011
【図１０】
2010166965.tif 000012
【図１１】
2010166965.tif 000013
【図１２】
2010166965.tif 000014
【図１３】
2010166965.tif 000015